(57)【特許請求の範囲】
【請求項１】
ロータ軸を内装した複数の施肥ポンプを並設し、上記ロータ軸の前端側を駆動軸に連結して、回転するロータ軸で駆動軸側からの肥料を吸引、吐出するようにした施肥装置において、上記施肥ポンプ前方側に、それぞれペースト肥料を撹拌して施肥ポンプ側に搬送する撹拌搬送羽根を設けると共に、上記撹拌搬送羽根を、回転する撹拌搬送羽根によってペースト肥料が集中する側ほど施肥ポンプから離れた位置に順次ずらして配置したことを特徴とする施肥装置。
【請求項２】
ロータ軸を内装した施肥ポンプを肥料タンクの外側に装着し、ロータ軸の前端側を肥料タンク内に配置した駆動軸に連結してあることを特徴とする請求項１記載の施肥装置。
【発明の詳細な説明】
【０００１】
【発明の属する技術分野】
本発明は、肥料タンクからのペースト肥料を、施肥ポンプに内装した回転するロータ軸で、吸引、吐出するようにした施肥装置に係わるものである。
【０００２】
【従来の技術】
一般に、田植機等に装備される施肥装置には、ロータ軸を内装した施肥ポンプを設け、このロータ軸の前端側を駆動軸に連結して、回転するロータ軸で駆動軸側からの肥料を吸引して後方に吐出するようにしたものが知られている。
【０００３】
ところが、このような従来の施肥ポンプは、ロータ軸の前端側を駆動軸にジョイント部で連結しただけであるため、施肥ポンプの前方側には、流動性の悪い高粘度のペースト肥料を流れ易くするような効果は殆どなく、また肥料を施肥ポンプ側に押し流す作用もないので、粘度の高いペースト肥料では施肥ポンプ側に吸込まれ難いという問題があった。
【０００４】
また、ペースト肥料を流れを良くするため、施肥ポンプ前方の駆動軸側に撹拌羽根等を設けると、複数の施肥ポンプを並設したときには、回転する複数の撹拌羽根がペースト肥料を撹拌して施肥ポンプ側に搬送するのと同時に、隣接する駆動軸側にもペースト肥料を押出すので、ペースト肥料が並設した施肥ポンプの片側に集中し、このため各施肥ポンプによる肥料の吸引、吐出量にバラツキを生ずるという別の問題がある。
【０００５】
【発明が解決しようとする課題】
本発明は上記のような実情に鑑み創作されたものであって、粘度の高いペースト肥料であっても、施肥ポンプの前方側で肥料を撹拌して施肥ポンプ側に搬送することにより、施肥ポンプによる肥料の吸引、吐出性能を向上させることができ、また、複数の施肥ポンプを並設したものであっても、撹拌したペースト肥料を各施肥ポンプに均一に搬送して、施肥ポンプの吸引、吐出量のバラツキを少なくすることができる施肥装置を提供しようとするものである。
【０００６】
【課題を解決するための手段】
上記の課題を解決するため、本発明が講じた技術的手段は、ロータ軸を内装した複数の施肥ポンプを並設し、上記ロータ軸の前端側を駆動軸に連結して、回転するロータ軸で駆動軸側からの肥料を吸引、吐出するようにした施肥装置において、上記施肥ポンプ前方側に、それぞれペースト肥料を撹拌して施肥ポンプ側に搬送する撹拌搬送羽根を設けると共に、上記撹拌搬送羽根を、回転する撹拌搬送羽根によってペースト肥料が集中する側ほど施肥ポンプから離れた位置に順次ずらして配置したことを特徴とし、また、上記ロータ軸を内装した施肥ポンプを肥料タンクの外側に装着し、ロータ軸の前端側を肥料タンク内に配置した駆動軸に連結してあることを特徴とするものである。
【０００７】
【発明の実施の形態】
次に本発明の実施の形態を、図面に示された好適な実施例に基いて詳細に説明する。まず図１、図２において、１は施肥装置を備えた乗用田植機の走行機体であって、前輪２および後輪３を備えた機体フレーム４にエンジン５が搭載され、その後方に運転操作部６、運転席７が配設されている。
【０００８】
上記走行機体１の後部にはリンク機構８を介して植付部９が昇降自在に装着されている。１０は植付部９のプランタケースであって、プランタケース１０の後部両側にロータリ式の植付杆１１が装着され、その上方には左右に往復横送りされる苗載台１２が前高後低状に配設されていて、機体の走行に伴って植付作動する植付杆１１が、苗載台１２に載置されたマット苗を単位植付株毎に掻取って圃場に植付けるようになっている。１３は苗載台１２の裏面側に設けた苗縦送り装置、１４は田面を滑走するセンターフロート、１５はサイドフロートである。
【０００９】
１６，１６は機体の前部左右に設けた肥料タンク、１７は上記肥料タンク１６の底部側に設けた施肥ポンプであって、この施肥ポンプ１７の吐出側から肥料パイプ１８が後方に延出され、その先端にそれぞれ植付部９に設けた施肥ノズル１９が連結されていて、肥料タンク１６内のペースト肥料を施肥ノズル１９から土中に施肥する施肥装置が構成されている。２０は肥料パイプ１９の中途部に設けたインジケータ、２１は肥料タンク１６への肥料供給部である。また２２は施肥ポンプ１７への動力を変速する変速装置である。
【００１０】
そして上記施肥ポンプ１７は次ぎのように構成されている。すなわち図３〜図５に示すように、肥料タンク１６は底部側が幅狭状に形成されており、その一側面外側に複数の施肥ポンプ１７が並列状に装着されている。なお本実施例では、３個の施肥ポンプ１７を装着したものが示されている。
【００１１】
２３は施肥ポンプ１７に内装されたロータ軸であって、その前端側が肥料タンク１６内に突出しており、後端側はネジ状に形成されたロータ部２３ａが弾性体からなるステータ２４で支持されている。２５は上記ステータ２４を覆うポンプカバーであって、ポンプカバー２５の後端に吐出口２６が形成され、この吐出口２６に前記肥料パイプ１８がコネクタ２７を介して連結されている。
【００１２】
また、肥料タンク１６の幅狭状に形成さた他側面には、これを貫通して複数の駆動軸２８が配設され、肥料タンク１６内に突出して並列状となった上記駆動軸２８の後端が、前記ロータ軸２３の前端側にジョイント部２９を介して連結されている。そして、回転するロータ軸２３が肥料タンク１６内のペースト肥料を吸引して吐出口２６から吐出するようになっている。
【００１３】
上記駆動軸２８は、スプロケット３０、チェン３１を介して伝動軸３２に連動連結されて同方向に回転する。また上記伝動軸３２は、前記変速装置２２から延設された伝動軸３３に分配ケース３４を介して連動連結されている。３５は他方の肥料タンク１６に装着された施肥ポンプ１７への伝動軸、３６は変速装置２２の操作レバー、３７はミッションケースである。
【００１４】
上記駆動軸２８とロータ軸２３とのジョイント部２９には、それぞれ施肥ポンプ１７の前方側に位置してペースト肥料を撹拌しながら施肥ポンプ１７側に搬送する撹拌搬送羽根３８、３８1、３８2が所定の送り角度で装着されている。そして上記撹拌搬送羽根３８、３８1、３８2は、回転する撹拌搬送羽根によってペースト肥料が集中する側ほど施肥ポンプ１７から離れた位置に順次ずらして配置されている。
【００１５】
すなわち、図４に示すように、複数のジョイント部２９が矢印イ方向に回転するとジョイント部２９の上方位置（図面では紙面の表面側）では、ペースト肥料が矢印ロ方向に押出され、さらに肥料タンク１６内のペースト肥料が上方から流下するので、ペースト肥料は図面のＡ側に集中し、Ｂ側には集中しない。
【００１６】
このため、Ａ側にある施肥ポンプ１７ほどペースト肥料の吸入量が多くなろうとするが、本発明では、ペースト肥料が集中しないＢ側にある撹拌搬送羽根３８を施肥ポンプ１７に接近させ、Ａ側の撹拌搬送羽根３８1、３８2を施肥ポンプ１７から離れる方向に間隔ｄだけ順次ずらした位置にて配置して、各施肥ポンプ１７にペースト肥料を均一に搬送するようになっている。
【００１７】
また、図６は撹拌搬送羽根の取付け角度を変更可能としたものであって、ジョイント部３９に、撹拌搬送羽根４０を取付るタッブ孔４１が設けてある。そして撹拌搬送羽根４０の取付螺子部４２をタッブ孔４１に螺入し、撹拌搬送羽根４０を所定角度としてロックナット４３で固定するものである。従ってペースト肥料の粘度変化に応じて撹拌搬送羽根４０を適正な取付け角度に変更することができる。
【００１８】
本発明は上記のように構成したので、施肥作業を行うに当り、施肥ポンプ１７を駆動すれば肥料タンク１６に貯溜されたペースト肥料は、肥料タンク１６に装着した施肥ポンプ１７により吸引され、吐出口２６から肥料パイプ１８を経て施肥ノズル１９で土中に施肥される。
【００１９】
上記の施肥過程において、施肥ポンプ１７に内装したロータ軸２３が駆動軸２８により回転して、肥料タンク１６に貯溜されたペースト肥料を駆動軸２８側から吸引する。このときジョイント部２９に装着された撹拌搬送羽根３８、３８1、３８2が、施肥ポンプ１７の前方側でペースト肥料を撹拌して流動性が良好になったペースト肥料を施肥ポンプ１７側に搬送するので、施肥ポンプ１７によるペースト肥料の吸引、吐出性能を向上させることができる。
【００２０】
そして、肥料タンク１６に複数の施肥ポンプ１７を並設したものでは、ペースト肥料が施肥ポンプ１７の片側に集中しても、順次ずらして配置した撹拌搬送羽根３８、３８1、３８2は、ペースト肥料が集中する側の搬送作用が小さく、集中しない側にゆくほど搬送作用が大きくなるので、各施肥ポンプにペースト肥料を均一に搬送できて吸引、吐出量のバラツキを少なくすることができる。
【００２１】
【発明の効果】
これを要するに本発明は、ロータ軸を内装した複数の施肥ポンプを並設し、上記ロータ軸の前端側を駆動軸に連結して、回転するロータ軸で駆動軸側からの肥料を吸引、吐出するようにした施肥装置において、上記施肥ポンプ前方側に、それぞれペースト肥料を撹拌して施肥ポンプ側に搬送する撹拌搬送羽根を設けると共に、上記撹拌搬送羽根を、回転する撹拌搬送羽根によってペースト肥料が集中する側ほど施肥ポンプから離れた位置に順次ずらして配置してあることから、回転する撹拌搬送羽根がペースト肥料を撹拌して、流動性が良好になったペースト肥料を施肥ポンプ側に搬送するので、施肥ポンプによる肥料の吸引、吐出性能を向上させることができる。
【００２２】
そして、複数の施肥ポンプを設けたものであっても、撹拌搬送羽根が、ペースト肥料の集中する側ほど施肥ポンプから離れた位置で回転するので、ペースト肥料を各施肥ポンプに均一に搬送することができて、施肥ポンプの吸引、吐出量のバラツキを少なくすることができる。
【図面の簡単な説明】
【図１】施肥装置を備えた田植機の全体側面図である。
【図２】同上平面図である。
【図３】施肥ポンプの縦断面図である。
【図４】同上横断面図である。
【図５】伝動系統図である。
【図６】取付角度を変更可能とした撹拌搬送羽根の斜視図である。
【符号の説明】
１６        肥料タンク
１７        施肥ポンプ
２３        ロータ軸
２８        駆動軸
３８        撹拌搬送羽根
【図１】
0003898336.tif 000002
【図２】
0003898336.tif 000003
【図３】
0003898336.tif 000004
【図４】
0003898336.tif 000005
【図５】
0003898336.tif 000006
【図６】
0003898336.tif 000007